(57)【要約】  波長分割多重光信号の特性やＥＤＦＡの使用環境等に応じて損失波長特性を容易に調整可能とするために、イコライザ１０は、設定されている損失プロファイルを入力された波長分割多重光信号へ付加して出力する波長選択スイッチ部２０、および、取得した設定情報に基づいて波長選択スイッチ手段に損失プロファイルを設定する設定部３０を備え、設定情報は出力された波長分割多重光信号のスペクトラムを平坦化するための情報であることを特徴とする。
2017033438.tif 000002
【特許請求の範囲】
【請求項１】
設定されている損失プロファイルを入力された波長分割多重光信号へ付加して出力する波長選択スイッチ手段と、
前記波長選択スイッチ手段から出力された前記波長分割多重光信号のスペクトラムを平坦化するための情報である設定情報を取得し、前記設定情報に基づいて前記波長選択スイッチ手段に損失プロファイルを設定する設定手段と、
を備えるイコライザ。
【請求項２】
前記波長選択スイッチ手段は、光伝送路上に増幅器と縦列配置された状態で、設定されている損失プロファイルを入力された波長分割多重光信号へ付加し、
前記設定情報は前記波長選択スイッチ手段および前記増幅器を通過した波長分割多重光信号のスペクトラムを平坦化するための情報である、
請求項１に記載のイコライザ。
【請求項３】
前記増幅器の動作状態を検出して出力する検出手段および前記動作状態に対応付けられた複数の設定情報を記憶するメモリをさらに備え、
前記設定手段はさらに、前記動作状態が入力された場合、入力された前記動作状態に対応付けられた設定情報を前記メモリから読み出し、前記メモリから読み出した前記設定情報に基づいて前記損失プロファイルを更新する、
請求項２に記載のイコライザ。
【請求項４】
前記波長選択スイッチ手段は複数あり、
複数の前記波長選択スイッチ手段は複数の光伝送路上にそれぞれ配置され、
前記設定手段は、前記メモリから読み出した設定情報に基づいて、複数の前記波長選択スイッチ手段に設定されている前記損失プロファイルをそれぞれ更新する、
請求項３に記載のイコライザ。
【請求項５】
前記波長選択スイッチ手段および前記増幅器を通過した波長分割多重光信号のスペクトラムを取得するスペクトラム取得手段をさらに備え、
前記設定手段はさらに、前記取得されたスペクトラムが平坦化されるように、前記波長選択スイッチ手段に設定する損失プロファイルを調整する、
請求項２乃至４のいずれか１項に記載のイコライザ。
【請求項６】
前記増幅器は、ＥＤＦＡ（Ｅｒｂｉｕｍ  Ｄｏｐｅｄ  Ｆｉｂｅｒ  Ａｍｐｌｉｆｉｅｒ）である、請求項２乃至５のいずれか１項に記載のイコライザ。
【請求項７】
前記波長選択スイッチ手段は、
入力された波長分割多重光信号を波長ごとに分波して複数の光信号を出力する波長分波手段と、
前記分波された複数の光信号を前記設定された損失プロファイルに応じてフィルタリング処理するフィルタ手段と、
前記分波された複数の光信号を前記設定された損失プロファイルに応じてスイッチング処理するスイッチング手段と、
前記フィルタリング処理および前記スイッチング処理が施された複数の光信号を合波して出力する波長合波手段と、
を備える請求項１乃至６のいずれか１項に記載のイコライザ。
【請求項８】
入力された波長分割多重光信号の光強度を増幅して出力する増幅手段と、
設定されている損失プロファイルを入力された前記波長分割多重光信号へ付加して出力する波長選択スイッチ手段および中継器から出力される波長分割多重光信号のスペクトラムを平坦化するための情報である設定情報を取得し、前記設定情報に基づいて前記波長選択スイッチ手段に設定されている損失プロファイルを更新する設定手段を備えたイコライザと、
内部に前記増幅手段および前記イコライザが縦列配置されている筐体と、
を備える中継器。
【請求項９】
入力された波長分割多重光信号の光強度を増幅して出力する増幅手段と、
設定されている損失プロファイルを入力された前記波長分割多重光信号へ付加して出力する波長選択スイッチ手段および取得した設定情報に基づいて前記波長選択スイッチ手段に設定されている損失プロファイルを更新する設定手段を備えたイコライザと、
を備え、
前記増幅手段および前記イコライザは縦列配置されると共に、前記設定情報は前記増幅手段および前記波長選択スイッチ手段を通過した波長分割多重光信号のスペクトラムを平坦化するための情報であることを特徴とする通信システム。
【請求項１０】
設定されている損失プロファイルを波長選択スイッチ手段に入力された波長分割多重光信号へ付加し、
前記波長選択スイッチ手段から出力された前記波長分割多重光信号のスペクトラムを平坦化するための情報である設定情報を取得し、
前記設定情報に基づいて前記波長選択スイッチ手段に損失プロファイルを設定する、
等化方法。
【発明の詳細な説明】
【技術分野】
【０００１】
本発明は、イコライザ、中継器および通信システムに関する。
【背景技術】
【０００２】
海底通信システム等においては、大量の情報を送受信するために、波長分割多重（ＷＤＭ：Ｗａｖｅｌｅｎｇｔｈ  Ｄｉｖｉｓｉｏｎ  Ｍｕｌｔｉｐｌｅｘｉｎｇ）光信号が多く採用されている。海底通信システム等においてＷＤＭ光信号を長距離にわたって伝送させる場合、一般的に、光ケーブル上に増幅器を備える中継器装置を配置し、中継器装置においてＷＤＭ光信号の光強度を増幅させる。【０００３】
ここで、海底通信システムに配置される増幅器として、エルビウム添加ファイバ増幅器（ＥＤＦＡ：Ｅｒｂｉｕｍ  Ｄｏｐｅｄ  Ｆｉｂｅｒ  Ａｍｐｌｉｆｉｅｒ）がある。ＥＤＦＡは増幅特性に波長依存性があることから、ＥＤＦＡを用いてＷＤＭ光信号の光強度を増幅する場合、一般的に、ＥＤＦＡと共にＥＤＦＡの波長依存性を等化するイコライザが配置される。【０００４】
例えば、特許文献１には、海底超長距離光増幅中継伝送システムにおいて、ＥＤＦＡの後段に、トータル的にＥＤＦＡの増幅特性と相反する特性を示す３つのフィルタによって構成されるイコライザを配置することが提案されている。
【先行技術文献】
【特許文献】
【０００５】
【特許文献１】特開平９−２４４０７９号公報
【発明の概要】
【発明が解決しようとする課題】
【０００６】
ここで、近年の海底通信システムの拡大化に伴い、同一システム内であっても、光信号の光強度や通信帯域、動作温度等が異なるケースが増加している。ＥＤＦＡの増幅特性は、光信号の光強度や通信帯域、動作温度によって変化することから、イコライザを同一システム内に配置する場合であっても、ＥＤＦＡの使用環境に応じてイコライザの特性を変更する必要がある。【０００７】
すなわち、ＥＤＦＡの仕様の数に合せてイコライザを用意する必要があり、さらに、それらのイコライザに対してそれぞれ予備のイコライザを準備しておく必要がある。この場合、システムのコストが高くなる。【０００８】
本発明は上記の課題に鑑みてなされたものであり、波長分割多重光信号の特性やＥＤＦＡの使用環境等に応じて損失波長特性を容易に調整可能なイコライザ、中継器および通信システムを提供することを目的とする。
【課題を解決するための手段】
【０００９】
上記目的を達成するために本発明に係るイコライザは、設定されている損失プロファイルを入力された波長分割多重光信号へ付加して出力する波長選択スイッチ手段と、取得した設定情報に基づいて前記波長選択スイッチ手段に損失プロファイルを設定する設定手段と、を備え、前記設定情報は前記出力された波長分割多重光信号のスペクトラムを平坦化するための情報であることを特徴とする。【００１０】
上記目的を達成するために本発明に係る中継器は、入力された波長分割多重光信号の光強度を増幅して出力する増幅手段と、設定されている損失プロファイルを入力された前記波長分割多重光信号へ付加して出力する波長選択スイッチ手段および取得した設定情報に基づいて前記波長選択スイッチ手段に設定されている損失プロファイルを更新する設定手段を備えたイコライザと、内部に前記増幅器および前記イコライザが縦列配置されている筐体と、を備え、前記設定情報は中継器から出力される波長分割多重光信号のスペクトラムを平坦化するための情報であることを特徴とする。【００１１】
上記目的を達成するために本発明に係る通信システムは、入力された波長分割多重光信号の光強度を増幅して出力する増幅手段と、設定されている損失プロファイルを入力された前記波長分割多重光信号へ付加して出力する波長選択スイッチ手段および取得した設定情報に基づいて前記波長選択スイッチ手段に設定されている損失プロファイルを更新する設定手段を備えたイコライザと、を備え、前記増幅器および前記イコライザは縦列配置されると共に、前記設定情報は前記増幅手段および前記波長選択スイッチ手段を通過した波長分割多重光信号のスペクトラムを平坦化するための情報であることを特徴とする。
【発明の効果】
【００１２】
上述した本発明の態様によれば、波長分割多重光信号の特性やＥＤＦＡの使用環境等に応じてイコライザの損失波長特性を容易に調整できる。
【図面の簡単な説明】
【００１３】
【図１】第１の実施形態に係るイコライザ１０のブロック構成図である。
【図２】第２の実施形態に係る通信システム１００のシステム構成図である。
【図３】第２の実施形態に係るイコライザ３００のブロック構成図である。
【図４】第２の実施形態に係る中継装置４００のブロック構成図である。
【図５】ＷＤＭ光信号が通信システム１００を通過する時のスペクトラムの変化を説明するための図である。
【図６】第３の実施形態に係るイコライザ３００Ｂのブロック構成図である。
【図７】第４の実施形態に係るイコライザ３００Ｃのブロック構成図である。
【図８】第５の実施形態に係る通信システム１００Ｂのシステム構成図である。
【発明を実施するための形態】
【００１４】
＜第１の実施形態＞
本発明の第１の実施形態について説明する。本実施形態に係るイコライザのブロック構成図を図１に示す。図１のイコライザ１０は、波長選択スイッチ手段２０および設定手段３０を備える。イコライザ１０は、波長依存性が付加された波長分割多重（ＷＤＭ：Ｗａｖｅｌｅｎｇｔｈ  Ｄｉｖｉｓｉｏｎ  Ｍｕｌｔｉｐｌｅｘｉｎｇ）光信号が入力され、入力されたＷＤＭ光信号に付加されている波長依存性を等化する。
【００１５】
波長選択スイッチ手段２０は、波長ごとに光信号をスイッチングすることにより、入力されるＷＤＭ光信号の損失波長特性をフレキシブルに調整する。本実施形態に係る波長選択スイッチ手段２０は、設定手段３０によって損失プロファイルが設定され、設定された損失プロファイルに基づいて波長ごとに光信号をスイッチングすることにより、入力されたＷＤＭ光信号へ設定されている損失プロファイルを付加する。これにより、ＷＤＭ光信号に付加されている波長依存性が等化される。
【００１６】
設定手段３０は、設定情報を取得し、取得した設定情報に応じた損失プロファイルを波長選択スイッチ手段２０へ設定する。ここで、設定手段３０は、イコライザ１０へ入力されるＷＤＭ光信号に付加された波長依存性を等化するための設定情報を取得する。なお、設定手段３０は、設定情報を取得する毎に、取得した設定情報に応じた損失プロファイルを波長選択スイッチ手段２０へ設定する。
【００１７】
上記のように構成されたイコライザは、波長選択スイッチ手段２０を適用することによって、波長選択スイッチ手段２０へ所望の損失プロファイルを容易に設定することができる。そして、波長選択スイッチ手段２０において設定された損失プロファイルに基づいて波長ごとに光信号をスイッチングすることにより、ＷＤＭ光信号へ最適な損失プロファイルを確実に付加することができる。
【００１８】
従って、本実施形態に係るイコライザ１０は、ＷＤＭ光信号の特性や使用環境等が変化しても、その変化に応じた最適な損失プロファイルを波長選択スイッチ手段２０へ容易に設定でき、等化対象のＷＤＭ光信号へ確実に付加することができる。さらに、ＷＤＭ光信号の特性や使用環境ごとに設計された複数のイコライザを保持する必要がないことから、安価のシステムを提供することができる。
【００１９】
なお、波長選択スイッチ手段２０は、波長選択スイッチを単体で構成したものに限定されず、例えば、ＡＷＧ（Ａｒｒａｙｅｄ  Ｗａｖｅｇｕｉｄｅ  Ｇｒａｔｉｎｇ）およびＶＯＡ（Ｖａｒｉａｂｌｅ  Ｏｐｔｉｃａｌ  Ａｔｔｅｎｕａｔｏｒ）を組み合わせた構成等を適用することもできる。
【００２０】
＜第２の実施形態＞
第２の実施形態について説明する。本実施形態に係る通信システムのシステム構成図を図２に示す。図２の通信システム１００においては、光伝送路上に中継器２００およびイコライザ３００が配置されている。通信システム１００として、例えば、ＷＤＭ光信号を送受信する光海底システムを適用することができる。光海底システムにおいては、ＷＤＭ光信号の光強度に波長依存性がある場合は伝送距離や伝送帯域の低減につながることから、ＷＤＭ光信号の波長ごとの光強度を一定にすることが求められる。
【００２１】
中継器２００は、入力されたＷＤＭ光信号を所望の強度レベルに増幅して出力する。中継器２００として、例えば、エルビウム添加ファイバ増幅器（ＥＤＦＡ：Ｅｒｂｉｕｍ  Ｄｏｐｅｄ  Ｆｉｂｅｒ  Ａｍｐｌｉｆｉｅｒ）を多段に配置した構成を適用することができる。ＥＤＦＡは、エルビウムイオンの誘導放出による入力信号光の増幅作用を利用していることから、利得波長特性が平坦でなく、ＷＤＭ光信号がＥＤＦＡを通過することによって光強度に波長依存性が生じる。
【００２２】
イコライザ３００は、中継器２００の前段または後段に配置され、中継器２００の利得波長特性と相反する損失波長特性（以下、損失プロファイルと記載する。）を有する。従って、ＷＤＭ光信号が中継器２００およびイコライザ３００を通過することによって、光強度が所望のレベルに増幅されると共に、波長ごとの光強度が平坦化される。本実施形態に係るイコライザ３００は、ＲＯＡＤＭ（Ｒｅｃｏｎｆｉｇｕｒａｂｌｅ  Ｏｐｔｉｃａｌ  Ａｄｄ／Ｄｒｏｐ  Ｍｕｌｔｉｐｌｅｘｅｒ）システムなどで使用されている波長選択スイッチ（ＷＳＳ：Ｗａｖｅｌｅｎｇｔｈ  Ｓｅｌｅｃｔｉｖｅ  Ｓｗｉｔｃｈ）を備える。
【００２３】
イコライザ３００としてＷＳＳを適用した場合の、イコライザ３００のブロック構成図の一例を図３に示す。図３のイコライザ３００は、１：Ｍ波長分波部３１０、Ｍ個のフィルタ部３２１−３２Ｍ、Ｍ個の光スイッチ部３３１−３３Ｍ、および、Ｍ：１波長合波部３４０を備える。
【００２４】
１：Ｍ波長分波部３１０は、入力されたＷＤＭ光信号を波長ごとに分配してＭ個のフィルタ部３２１−３２Ｍへそれぞれ出力する。
【００２５】
フィルタ部３２１−３２Ｍはそれぞれ、図３に図示しない設定手段によって、中継器２００の利得波長特性を解消するための出力特性が設定される。フィルタ部３２１−３２Ｍは、設定された出力特性によって入力された光信号をフィルタリング処理する。
【００２６】
光スイッチ部３３１−３３Ｍは、図３に図示しない設定手段からの指示に基づいて、対応するフィルタ部３２１−３２Ｍから入力された所定波長の光信号をスイッチング処理する。フィルタ部３２１−３２Ｍにおいてフィルタリング処理された波長ごとの光信号を、光スイッチ部３３１−３３Ｍにおいてスイッチング処理することにより、全体として中継器２００の利得波長特性が解消された所定波長の光信号が光スイッチ部３３１−３３Ｍから出力される。
【００２７】
Ｍ：１波長合波部３４０は、光スイッチ部３３１−３３Ｍから出力された波長ごとの光信号を合波し、ＷＤＭ光信号として出力する。
【００２８】
なお、中継器２００の利得波長特性を解消するための出力特性をフィルタ部３２１−３２Ｍにそれぞれ設定し、光スイッチ部３３１−３３Ｍにおいてフィルタ部３２１−３２Ｍからの出力をスイッチング処理することに限定されない。例えば、図３に図示しない設定手段によって、１：Ｍ波長分波部３１０やＭ：１波長合波部３４０における合分配比率を、中継器２００の利得波長特性が解消されるように調整することもできる。
【００２９】
上記のように、イコライザ３００をＷＳＳによって構成することにより、フィルタ部３２１−３２Ｍに設定する出力特性や光スイッチ部３３１−３３Ｍにおけるスイッチング処理を容易に調整することができ、中継器２００の利得波長特性に応じた最適な損失プロファイルをイコライザ３００へ確実に付加することができる。そして、イコライザ３００をＷＳＳによって構成することにより、今まで、ＷＤＭ光信号の特性や中継器２００の使用環境ごとに個別に設計していたイコライザ３００を共通化できる。この場合、イコライザ３００やイコライザ３００の予備器の数を減らすことができ、結果として通信システム１００の価格を下げることができる。
【００３０】
ここで、イコライザ３００を中継器２００の内部に配置することもできる。この場合の中継装置４００のブロック構成図を図４に示す。図４に示すように、中継装置４００の筐体４１０の内部には、ＷＤＭ光信号を増幅するＥＤＦＡ４２０と、ＥＤＦＡ４２０の利得波長特性を等化するＷＳＳ４３０と、が縦列に配置されている。ＥＤＦＡ４２０は上述の中継器２００と同様に機能し、ＷＳＳ４３０は上述のイコライザ３００と同様に機能する。
【００３１】
図４の中継装置４００は、例えば、予備中継装置として運用させることができる。筐体４１０の内部に配置されたＷＳＳ４３０は、ＥＤＦＡ４２０から出力されるＷＤＭ光信号のスペクトラムが平坦になるように、損失プロファイルが調整されている。従って、ＷＤＭ光信号が中継装置４００を通過することにより、波長ごとの光強度が平坦化された状態で光強度が所望のレベルに増幅される。
【００３２】
ここで、図４の中継装置４００はさらに、ＷＳＳ４３０に設定されている損失プロファイルを変更することによって、中継装置４００の使用波長帯域を変更することもできる。図４の中継装置４００は、使用波長帯域を既存システムにおいて使用されている波長帯域に合せることができることから、信号帯域が異なる様々なシステムに共通に適用することができる。
【００３３】
＜第３の実施形態＞
第２の実施形態においては、中継器２００をＥＤＦＡで構成した。既に述べたように、ＥＤＦＡはエルビウムイオンの誘導放出による入力信号光の増幅作用を利用していることから、入力されるＷＤＭ光信号の光強度レベルやＥＤＦＡの動作温度が変わると、ＥＤＦＡの利得波長特性も変化する。ここで、入力されるＷＤＭ光信号の光強度レベルやＥＤＦＡの動作温度が変わった場合のＷＤＭ光信号のスペクトラム変化について説明する。
【００３４】
定常状態において、ＷＤＭ光信号が第２の実施形態で説明した図２の通信システム１００を通過する時の光強度の波長特性の変化を図５（ａ）に示す。さらに、図５（ａ）のＷＤＭ光信号とは異なる光強度を有するＷＤＭ光信号が通信システム１００を通過する時の光強度の波長特性の変化を図５（ｂ）に、図５（ａ）の場合と異なる温度で中継器２００が動作している場合のＷＤＭ光信号の光強度の波長特性の変化を図５（ｃ）に示す。
【００３５】
図５（ａ）において、各波長の強度レベルが一定レベルＡ１であるスペクトラムα１のＷＤＭ光信号が中継器２００に入力されることにより、ＷＤＭ光信号の光強度が増幅されると共に中継器２００の利得波長特性が付与されたスペクトラムβ１のＷＤＭ光信号が出力される。スペクトラムβ１のＷＤＭ光信号はさらに、中継器２００の利得波長特性と相反する損失プロファイルが設定されたイコライザ３００を通過する。これにより、中継器２００において付与された利得波長特性が補償され、光強度が所望のレベルに増幅されると共に波長ごと光強度が一定のスペクトラムγのＷＤＭ光信号が出力される。
【００３６】
一方、図５（ｂ）に示すように、中継器２００を構成するＥＤＦＡは、入力されるＷＤＭ光信号の光強度レベルが変わるとＥＤＦＡの利得波長特性も変化する。例えば、各波長の強度レベルが一定レベルＡ２（＜Ａ１）であるスペクトラムα２のＷＤＭ光信号が中継器２００に入力されることにより、図５（ａ）とは異なるスペクトラムβ２のＷＤＭ光信号が出力される。スペクトラムβ２のＷＤＭ光信号はさらに、中継器２００の利得波長特性と相反する損失プロファイルが設定されたイコライザ３００を通過する。これにより、光強度が所望のレベルに増幅されると共に波長ごと光強度が一定のスペクトラムγのＷＤＭ光信号が出力される。
【００３７】
さらに、図５（ｃ）に示すように、周囲の温度が変化する等によって中継器２００の動作温度が変化した場合、中継器２００の利得波長特性が変化する。従って、各波長の強度レベルが図５（ａ）と同じ一定レベルＡ１であるスペクトラムα１のＷＤＭ光信号が中継器２００に入力されても、図５（ａ）とは異なるスペクトラムβ３のＷＤＭ光信号が出力される。スペクトラムβ３のＷＤＭ光信号はさらに、中継器２００の利得波長特性と相反する損失プロファイルが設定されたイコライザ３００を通過する。これにより、光強度が所望のレベルに増幅されると共に波長ごと光強度が一定のスペクトラムγのＷＤＭ光信号が出力される。
【００３８】
そこで、第３の実施形態においては、中継器２００およびイコライザ３００の動作を開始した後、入力されるＷＤＭ光信号の光強度レベルや中継器２００の動作温度の変化に応じて、イコライザに設定する損失プロファイルをフレキシブルに変更する。本実施形態に係るイコライザのブロック構成図を図６に示す。図６のイコライザ３００Ｂは、ＷＳＳ部３００’、メモリ３５０、センサ部３６０およびＷＳＳ制御部３７０によって構成される。
【００３９】
ＷＳＳ部３００’はＷＤＭ光信号へ損失プロファイルを付加する構成であり、第２の実施形態で説明した図３のイコライザ３００（１：Ｍ波長分波部３１０、フィルタ部３２１−３２Ｍ、光スイッチ部３３１−３３Ｍ、Ｍ：１波長合波部３４０）等を適用することができる。
【００４０】
メモリ３５０には、ＷＤＭ光信号の光強度レベルや中継器２００の動作温度にそれぞれ対応付けられた複数の損失プロファイルが登録されている。
【００４１】
センサ部３６０は、中継器２００の近傍に配置され、中継器２００に入力されるＷＤＭ光信号の光強度レベルや中継器２００の動作温度を計測し、計測結果をＷＳＳ制御部３７０へ出力する。
【００４２】
ＷＳＳ制御部３７０は、工場出荷時や船上における敷設作業時や敷設後のパラメータ変更時等にイコライザ３００Ｂが図示しないイコライザ制御装置に接続されたことを検知した場合、イコライザ制御装置から損失プロファイルを取得し、取得した損失プロファイルをメモリ３５０へ登録する。さらに、ＷＳＳ制御部３７０は、センサ部３６０から入力された計測結果に対応する損失プロファイルをメモリ３５０から読み出し、読み出した損失プロファイルをＷＳＳ部３００’へ設定する。
【００４３】
なお、イコライザ３００Ｂがイコライザ制御装置に接続されることによって損失プロファイルがメモリ３５０へ登録された後、イコライザ３００Ｂとイコライザ制御装置との接続は切断される。ここで、イコライザ制御装置は、シミュレーションや実測等によって、補償対象の中継器２００のＷＤＭ光信号の光強度レベルや動作温度が変化した場合の利得波長特性をそれぞれ取得し、取得した利得波長特性と相反する損失波長特性を演算し、イコライザ３００Ｂへ設定する損失プロファイルとして保持する。
【００４４】
上記のように構成されたイコライザ３００Ｂは、光伝送路上に配置された後、センサ部３６０において、ＷＤＭ光信号の光強度レベルの計測や中継器２００の動作温度の計測を開始する。そして、ＷＳＳ制御部３７０は、センサ部３６０から入力された計測結果に対応する損失プロファイルをメモリ３５０から読み出し、読み出した損失プロファイルをＷＳＳ部３００’へ設定する。
【００４５】
本実施形態に係るイコライザ３００Ｂは、ＷＤＭ光信号の光強度レベルや中継器２００の動作温度等に応じて、ＷＤＭ光信号に付加する損失プロファイルを適宜変更することができる。従って、ＷＤＭ光信号の光強度や動作温度などの仕様に関係なくイコライザ３００Ｂを共通化することができ、利得等化に使用するイコライザ３００Ｂの予備数を減らすことができる。
【００４６】
さらに、本実施形態のイコライザ３００Ｂは、損失プロファイルを外部のイコライザ制御装置から取得してメモリ３５０へ登録しておき、動作時にメモリ３５０から適切な損失プロファイルを読み出してＷＳＳ部３００’へ設定する。イコライザ３００Ｂにおいて損失プロファイルを生成するのではなく、イコライザ３００Ｂは適切な損失プロファイルをメモリ３５０から読み出してＷＳＳ部３００’へ設定するだけで良いことから、イコライザ３００Ｂにおける処理を軽減でき、イコライザ３００Ｂの構成を単純にできる。
【００４７】
また、本実施形態に係るイコライザ３００Ｂにおいて、損失プロファイルがメモリ３５０へ登録された後、イコライザ３００Ｂとイコライザ制御装置との接続が切断される。この場合、イコライザ３００Ｂを光伝送路上に配置した後で損失プロファイルが誤って変更されることを抑制でき、信頼性が高いシステムを提供することができる。
【００４８】
なお、イコライザ３００Ｂとイコライザ制御装置とを無線通信できるように構成することもできる。この場合、例えば、故障等によって中継器２００が、中継器２００とは異なる利得波長特性を有する中継器２００’と置きかえられた場合、中継器２００’についての損失プロファイルをイコライザ制御装置から光伝送路上に配置された運用中のイコライザ３００Ｂへ送信することもできる。
【００４９】
イコライザ３００Ｂは、イコライザ制御装置から中継器２００’についての損失プロファイルを受信することにより、受信した損失プロファイルをメモリ３５０に登録されている中継器２００についての損失プロファイルへ上書きすると共に、受信した中継器２００’についての損失プロファイルをＷＳＳ部３００’へ設定する。
【００５０】
イコライザ３００Ｂとイコライザ制御装置とが無線通信等によって損失プロファイルを送受信できるように構成する場合、中継器２００およびイコライザ３００を通過するＷＤＭ光信号の光強度レベルを遠隔操作によって調整することもできる。
【００５１】
＜第４の実施形態＞
第４の実施形態について説明する。本実施形態に係るイコライザのブロック構成図を図７に示す。図７のイコライザ３００Ｃは、ＷＳＳ部３００’、メモリ３５０、センサ部３６０、ＷＳＳ制御部３７０Ｂおよびスペクトラム取得部３８０によって構成される。
【００５２】
スペクトラム取得部３８０は、図７には図示しない中継器２００およびＷＳＳ部３００’を通過したＷＤＭ光信号のスペクトラムを取得し、取得結果をＷＳＳ制御部３７０Ｂへ出力する。ＷＳＳ制御部３７０Ｂは、スペクトラム取得部３８０から入力されたスペクトラムが平坦になるように、ＷＳＳ部３００’へ設定する損失プロファイルを調整する。
【００５３】
中継器２００およびＷＳＳ部３００’を通過したＷＤＭ光信号のスペクトラムが平坦になるように、ＷＳＳ部３００’への損失プロファイルの設定をフィードバック制御することにより、中継器２００およびイコライザ３００Ｃから、高品質のＷＤＭ光信号が出力される。
【００５４】
＜第５の実施形態＞
第５の実施形態について説明する。本実施形態に係る通信システムのシステム構成図を図８に示す。図８の通信システム１００Ｂにおいては、複数の光伝送路上にそれぞれ、図示しない中継器とＷＳＳ部３００’とが配置される。そして、複数のＷＳＳ部３００’をＷＳＳ制御部３７０Ｃによって制御する。
【００５５】
メモリ３５０Ｂには、複数の光伝送路上にそれぞれ配置された複数の中継器についての利得波長特性を補償するための損失プロファイルが登録されている。ＷＳＳ制御部３７０Ｃは、補償対象の中継器についての損失プロファイルをメモリ３５０Ｂから読み出して、対応するＷＳＳ部３００Ｂ’へ設定する。
【００５６】
メモリ３５０ＢおよびＷＳＳ制御部３７０Ｃを複数のＷＳＳ部３００’において共有することにより、安価なシステムを提供することができる。
【００５７】
本願発明は上記実施形態に限定されるものではなく、この発明の要旨を逸脱しない範囲の設計の変更等があってもこの発明に含まれる。
【００５８】
この出願は、２０１５年８月２７日に出願された日本出願特願２０１５−１６７３９６を基礎とする優先権を主張し、その開示の全てをここに取り込む。
【符号の説明】
【００５９】
１０    イコライザ
２０    波長選択スイッチ手段
３０    設定手段
１００、１００Ｂ    通信システム
２００    中継器
３００、３００Ｂ、３００Ｃ    イコライザ
３００’    ＷＳＳ部
３１０    １：Ｍ波長分波部
３２１−３２Ｍ    フィルタ部
３３１−３３Ｍ    光スイッチ部
３４０    Ｍ：１波長合波部
３５０、３５０Ｂ    メモリ
３６０    センサ部
３７０、３７０Ｂ、３７０Ｃ    ＷＳＳ制御部
３８０    スペクトラム取得部
４００    中継装置
４１０    筐体
４２０    ＥＤＦＡ
４３０    ＷＳＳ
【図１】
2017033438.tif 000003
【図２】
2017033438.tif 000004
【図３】
2017033438.tif 000005
【図４】
2017033438.tif 000006
【図５】
2017033438.tif 000007
【図６】
2017033438.tif 000008
【図７】
2017033438.tif 000009
【図８】
2017033438.tif 000010
【国際調査報告】
2017033438.tif 000011
2017033438.tif 000012
2017033438.tif 000013
2017033438.tif 000014